(57)【特許請求の範囲】
【請求項１】
商用電源及び他の電源と接続され、各々電力が供給される複数の系統と、
前記複数の系統の各々に設けられ、前記複数の系統の電流値を時系列で計測する複数の計測手段と、
前記複数の計測手段が各々時系列で計測した前記複数の系統の電流値を記憶する電流値記憶手段と、
停電の場合に前記商用電源に代えて前記他の電源の電力を前記複数の系統へ供給するようにする電源切替手段と、
前記複数の系統のうち電力が供給される系統を指定する操作が可能な入力手段と、
前記複数の系統の各々に設けられ、前記入力手段の操作に基づいて前記複数の系統に供給される電力をオン又はオフにする複数のスイッチ手段と、
前記入力手段の操作の履歴を記憶する操作履歴記憶手段と、
前記電流値記憶手段に記憶された前記複数の系統の各々における時系列での電流値に基づいて、前記複数の系統の各々に接続されている機器の属性を判定し、かつ前記電源切替手段が前記他の電源の電力を前記複数の系統へ供給するように切り替わった時刻を検知し、前記電流値記憶手段に記憶された前記複数の系統の各々における時系列での電流値と、前記検知した前記電源切替手段が前記他の電源の電力を前記複数の系統へ供給するように切り替わった時刻とから、前記複数の系統のうち、前記停電の直前に使用されていた系統を特定すると共に、前記操作履歴記憶手段に記憶されている前記入力手段の操作の履歴から前記停電の一つ前の停電で電力が供給される系統として指定された系統を特定し、該特定した前記停電の直前に使用されていた系統及び前記停電の一つ前の停電で電力が供給される系統として指定された系統並びに前記判定した前記複数の系統の各々に接続されている機器の属性に基づいて、前記複数の系統のうち前記停電の場合に電力供給を優先すべき系統を判断する制御手段と、
前記制御手段が判断した電力供給を優先すべき系統を表示する表示手段と、
を備えた給電システム。
【請求項２】
前記制御手段は、前記電流値記憶手段に記憶された前記複数の系統の各々における時系列での電流値に基づいて、前記複数の系統の各々における最大消費電力、最小消費電力及び平均消費電力を算出し、該算出した最大消費電力と平均消費電力との差が閾値以上の系統に冷蔵庫が接続されていると判定すると共に、２４時間以上連続して計測された時系列での電流値から算出された最小消費電力が０ではない系統に２４時間動作する機器が接続されていると判定し、前記冷蔵庫が接続されていると判定された系統に最大の加点、前記２４時間動作する機器が接続されていると判定された系統に２番目に大きな加点、前記停電の直前に使用されていた系統に３番目に大きな加点、前記停電の一つ前の停電で電力が供給される系統として指定された系統に４番目に大きな加点を各々与え、加点の和が大きな系統を前記停電の場合に電力供給を優先すべき系統と判断する請求項１に記載の給電システム。
【請求項３】
前記制御手段は、前記加点の和が最大の系統を、前記停電の場合に電力供給が最優先される系統とする請求項２に記載の給電システム。
【請求項４】
前記制御手段は、前記停電の時間帯に応じて、前記加点の和が最大の系統、前記加点の和が最大の系統及び前記加点の和が２番目に大きい系統、又は前記加点の和が最大の系統から前記加点の和が３番目に大きい系統までを停電時に電力供給が優先される系統として前記表示手段に表示するようにする請求項２に記載の給電システム。
【請求項５】
前記制御手段は、停電が開始される時刻及び該停電が終了する時刻が予め明らかである場合に、予め把握した前記他の電源から供給可能な電力と前記停電が開始される時刻及び該停電が終了する時刻の間の時間とに応じて、前記加点の和の大きな系統の中から停電の間に電力の供給が可能な系統を判断し、該判断結果を前記表示手段に表示するように制御する請求項３に記載の給電システム。
【請求項６】
前記他の電源は、前記商用電源から供給された電力を蓄えた蓄電池、車載蓄電池の電力で走行可能な車両の該車載蓄電池、燃料電池、内燃機関を用いた発電装置及び太陽光発電装置の少なくともいずれか１つである、請求項１〜５のいずれか１項に記載の給電システム。
【発明の詳細な説明】
【技術分野】
【０００１】
本発明は、建物等の施設内に複数設けられた各系統に電力を分配して供給するシステムにかかり、特に、施設内の各系統の電力の消費の傾向から優先的に電力を供給すべき系統を判断する給電システムに関する。
【背景技術】
【０００２】
建物等の施設には、通常は系統電力等による商用電源から電力が供給されている。この商用電源からの電力の供給が停電によって滞る場合を考慮して、商用電源から供給された電力を平時において蓄えた蓄電池、燃料電池、内燃機関による発電、太陽光発電、又はＥＶ（Electric Vehicle）、ＨＶ（Hybrid Vehicle）若しくはＰＨＶ（Plug-in Hybrid Vehicle）等の車両が有する車載蓄電池等による補助電源を有することがある。
【０００３】
しかしながら、上述の補助電源では施設に対して供給可能な電力には限りがあるので、施設が要する全電力を補助電源で賄うことはできない場合がある。
【０００４】
特許文献１に記載の技術では、電力使用の大小に応じて、電源装置から各電力負荷への給電を選択的に停止させることが提案されている。
【先行技術文献】
【特許文献】
【０００５】
【特許文献１】特開２００７−２３６０２３号公報
【発明の概要】
【発明が解決しようとする課題】
【０００６】
しかしながら、特許文献１に記載の技術では、電力消費量の予測に応じて、電源装置による電力を供給可能な電力負荷を決定しているが、電力負荷の中には、例えば冷蔵庫のように、２４時間動作しなければならないものがある。したがって、電力消費量及び電源装置の電力供給能力のみから電力が供給される電力負荷を決定するのは、２４時間動作する必要がある電力負荷への電力供給が滞るおそれがあるという問題点があった。
【０００７】
本発明は、上記事実を考慮して成されたもので、施設内の各系統の電力の消費の傾向から優先的に電力を供給すべき系統を判断する給電システムを提供することを目的とする。
【課題を解決するための手段】
【０００８】
上記目的を達成するために請求項１に記載の発明は、商用電源及び他の電源と接続され、各々電力が供給される複数の系統と、前記複数の系統の各々に設けられ、前記複数の系統の電流値を時系列で計測する複数の計測手段と、前記複数の計測手段が各々時系列で計測した前記複数の系統の電流値を記憶する電流値記憶手段と、停電の場合に前記商用電源に代えて前記他の電源の電力を前記複数の系統へ供給するようにする電源切替手段と、前記複数の系統のうち電力が供給される系統を指定する操作が可能な入力手段と、前記複数の系統の各々に設けられ、前記入力手段の操作に基づいて前記複数の系統に供給される電力をオン又はオフにする複数のスイッチ手段と、前記入力手段の操作の履歴を記憶する操作履歴記憶手段と、前記電流値記憶手段に記憶された前記複数の系統の各々における時系列での電流値に基づいて、前記複数の系統の各々に接続されている機器の属性を判定し、かつ前記電源切替手段が前記他の電源の電力を前記複数の系統へ供給するように切り替わった時刻を検知し、前記電流値記憶手段に記憶された前記複数の系統の各々における時系列での電流値と、前記検知した前記電源切替手段が前記他の電源の電力を前記複数の系統へ供給するように切り替わった時刻とから、前記複数の系統のうち、前記停電の直前に使用されていた系統を特定すると共に、前記操作履歴記憶手段に記憶されている前記入力手段の操作の履歴から前記停電の一つ前の停電で電力が供給される系統として指定された系統を特定し、該特定した前記停電の直前に使用されていた系統及び前記停電の一つ前の停電で電力が供給される系統として指定された系統並びに前記判定した前記複数の系統の各々に接続されている機器の属性に基づいて、前記複数の系統のうち前記停電の場合に電力供給を優先すべき系統を判断する制御手段と、前記制御手段が判断した電力供給を優先すべき系統を表示する表示手段と、を備えることを特徴としている。
【０００９】
複数の計測手段は、電流を時系列で計測するための電流センサである。
【００１０】
電流値記憶手段は、計測手段が時系列で計測した各系統の電流値を記憶するメモリユニット等の記憶装置である。
【００１１】
制御手段は、電流値記憶手段が記憶している電流値に基づいて各系統に接続されている機器の属性を判定すると共に、特定した停電の直前に使用されていた系統及び当該停電の一つ前の停電で電力が供給される系統として指定された系統並びに判定した複数の系統の各々に接続されている機器の属性に基づいて、複数の系統のうち停電の場合に電力供給を優先すべき系統を判断することができる。
【００１２】
さらに表示手段は、制御手段による判断結果を表示することができる。
【００１５】
また、請求項３に記載の発明のように、前記制御手段は、前記電流値記憶手段に記憶された前記複数の系統の各々における時系列での電流値に基づいて、前記複数の系統の各々における最大消費電力、最小消費電力及び平均消費電力を算出し、該算出した最大消費電力と平均消費電力との差が閾値以上の系統に冷蔵庫が接続されていると判定すると共に、２４時間以上連続して計測された時系列での電流値から算出された最小消費電力が０ではない系統に２４時間動作する機器が接続されていると判定し、前記冷蔵庫が接続されていると判定された系統に最大の加点、前記２４時間動作する機器が接続されていると判定された系統に２番目に大きな加点、前記停電の直前に使用されていた系統に３番目に大きな加点、前記停電の一つ前の停電で電力が供給される系統として指定された系統に４番目に大きな加点を各々与え、加点の和が大きな系統を前記停電の場合に電力供給を優先すべき系統と判断するようにしてもよい。
【００１６】
請求項３に記載の発明によれば、冷蔵庫が接続されているか否か、２４時間動作する機器が接続されているか否か、停電の直前に使用されていた系統か否か、前回の停電で電力が供給される系統として指定された系統か否かを総合的に判断して電力供給すべき系統を特定することができる。
【００１７】
また、請求項４に記載の発明のように、前記制御手段は、前記加点の和が最大の系統を、前記停電の場合に電力供給が最優先される系統としてもよい。これによって、最優先で電力を供給すべき系統を明確化できる。
【００１８】
また、請求項５に記載の発明のように、前記制御手段は、前記停電の時間帯に応じて、前記加点の和が最大の系統、前記加点の和が最大の系統及び前記加点の和が２番目に大きい系統、又は前記加点の和が最大の系統から前記加点の和が３番目に大きい系統までを停電時に電力供給が優先される系統として前記表示手段に表示するようにしてもよい。これによって、停電の時間帯に応じた電力供給を優先すべき系統を明示できる。
【００１９】
また、請求項６に記載の発明のように、前記制御手段は、停電が開始される時刻及び該停電が終了する時刻が予め明らかである場合に、予め把握した前記他の電源から供給可能な電力と前記停電が開始される時刻及び該停電が終了する時刻の間の時間とに応じて、前記加点の和の大きな系統の中から停電の間に電力の供給が可能な系統を判断し、該判断結果を前記表示手段に表示するように制御してもよい。これによって、いわゆる計画停電時に、他の電源の能力に基づいて、電力供給が可能な系統を明示できる。
【００２０】
また、請求項７に記載の発明のように、前記他の電源は、前記商用電源から供給された電力を蓄えた蓄電池、車載蓄電池の電力で走行可能な車両の該車載蓄電池、燃料電池、内燃機関を用いた発電装置及び太陽光発電装置の少なくともいずれか１つでよい。これによって、多彩な電源を他の電源として活用することができる。
【発明の効果】
【００２１】
以上説明したように本発明によれば、施設内の各系統の電力の消費の傾向から優先的に電力を供給すべき系統を判断する給電システムを提供することができるという効果がある。
【図面の簡単な説明】
【００２２】
【図１】本発明の実施の形態に係る給電システムの一例を示す概略図である。
【図２】本発明の実施の形態に係る給電システムに含まれるＨＥＭＳの概略構成を示すブロック図である。
【図３】本発明の実施の形態に係る給電システムにおける冷蔵庫が接続されている系統か否かを判定するための処理のフローチャートである。
【図４】本発明の実施の形態に係る給電システムにおける冷蔵庫が接続されている系統か否かの判定に用いる各系統の消費電力の一例を示した図である。
【図５】本発明の実施の形態に係る給電システムにおける２４時間動作している機器が接続されている系統か否かを判定するための処理のフローチャートである。
【図６】本発明の実施の形態に係る給電システムにおける２４時間動作している機器が接続されている系統か否かの判定に用いる各系統の消費電力の一例を示した図である。
【図７】本発明の実施の形態において停電時に電力を優先的に供給する系統を判断する際に用いられる判定表の一例を示す図である。
【発明を実施するための形態】
【００２３】
以下、図面を参照して本発明の実施の形態を詳細に説明する。図１は、本発明の実施の形態に係る給電システム１００の一例を示す概略図である。なお、図１において、実線は電力が供給される電力線を示し、破線は制御に係る情報が通る情報線を示している。
【００２４】
図１では、電力会社による商用電源の電力は、電源切替装置１１０を介して建物等の施設に供給されている。
【００２５】
電源切替装置１１０は、必要に応じて商用電源からの電力を遮断するのみならず、商用電源に代えて蓄電池、燃料電池、内燃機関による発電、太陽光発電、又はＥＶ、ＨＶ若しくはＰＨＶ等の車両が有する車載蓄電池等による補助電源に切り替えることができる。
【００２６】
電源切替装置１１０を介して供給された電力は、図１の第１系統１２１、第２系統１２２、第３系統１２３のように複数の系統に分配される。図１では、第１系統１２１はリビング１５１に、第２系統１２２はダイニング１５２に、第３系統１２３はキッチン１５３に接続されており、リビング１５１には２４時間動作する機器であるファクシミリ装置１５１Ａが設置されており、キッチン１５３には停電時でも動作する必要がある冷蔵庫１５３Ａが設けられているものとする。
【００２７】
なお、図１では、記載の簡略化のために系統は３系統のみ記載しているが、本実施の形態では３系統以上でも３系統以下でもよく、系統の本数に特段の限定はない。
【００２８】
これら複数の系統の各々は、建物等の施設に複数設けられている居室等のエリアに接続されており、居室等の各エリアの各々には、系統毎に分配された電力が供給される。
【００２９】
第１系統１２１、第２系統１２２及び第３系統１２３には、各系統に供給される電力を必要に応じてオフ又はオンにするスイッチである遮断装置１３１〜１３３が各々設けられている。
【００３０】
第１系統１２１、第２系統１２２及び第３系統１２３には各系統の電流を時系列で計測する電流センサ１４１〜１４３が各々設けられている。
【００３１】
電力切替装置１１０、遮断装置１３１〜１３３及び電流センサ１４１〜１４３には、本実施の形態に係る給電システムを制御する制御装置１６１が接続されている。
【００３２】
制御装置１６１にはメモリユニット１７１が接続されている。制御装置１６１は、電流センサ１４１〜１４３が計測した各系統の時系列での電流値から各系統の時系列での消費電力を算出し、各系統の時系列での電流値及び消費電力を当該電流値が計測された日時に対応付けてメモリユニット１７１に記憶する。
【００３３】
制御装置は、メモリユニット１７１に記憶した消費電力の傾向から、各系統のうち商用電源が停電した場合に電力供給を優先すべき系統を判断する。
【００３４】
また、制御装置１６１には、ユーザに各種情報を表示すると共に、ユーザからの操作を受け付ける表示・入力装置１８１が接続されている。
【００３５】
本実施の形態では、電源切替装置１１０を、商用電源から補助電源に切り替える操作、並びに停電時に使用する系統を指定する操作として、停電時に使用する系統の遮断装置をオン状態とする操作又は停電前に遮断装置がオン状態であった系統の遮断装置を停電後もオン状態とする操作が表示・入力装置１８１を介して可能である。
【００３６】
制御装置１６１は、商用電源が停電した場合に電力供給を優先すべきと判断した系統を表示・入力装置１８１に表示すると共に、ユーザによる表示・入力装置１８１の操作に基づいて電源切替装置１１０及び遮断装置１３１〜１３３を制御する。
【００３７】
本実施の形態では、表示・入力装置１８１から停電時に使用する系統を指定する操作がされた場合、指定された系統に設けられている遮断装置がオン状態になり、指定されなかった系統に設けられている遮断装置がオフ状態になるように、制御装置１６１によって制御される。
【００３８】
なお、制御装置１６１及び電源切替装置１１０、並びに制御装置１６１及び各遮断装置は、図１に破線で示したように情報線で接続されており、制御装置１６１は、電源切替装置１１０及び各遮断装置の状態をリアルタイムで検知可能である。
【００３９】
本実施の形態に係る制御装置１６１、メモリユニット１７１及び表示・入力装置１８１は、建物内の給電管理及び制御を行うＨＥＭＳ（Home Energy Management System）を用いてもよい。
【００４０】
図２は、本発明の実施の形態に係る給電システムに含まれるＨＥＭＳ３０の概略構成を示すブロック図である。
【００４１】
ＨＥＭＳ３０は、コンピュータを含んで構成されており、図２に示すように、ＣＰＵ３６、ＲＯＭ３８、ＲＡＭ４０、及び入出力ポート４２を備えて、これらがアドレスバス、データバス、及び制御バス等のバス４４を介して互いに接続されている。
【００４２】
入出力ポート４２には、各種入出力機器として、表示部４６、操作部４８、及びメモリ５０が接続されている。なお、表示部４６及び操作部４８は図１の表示・入力装置１８１ように一体で構成され、操作部４８は、表示部４６に設けられたタッチパネルを適用するようにしてもよいし、タッチパネルの他に操作ボタンを備えるようにしてもよい。
【００４３】
メモリ５０は、図１のメモリユニット１７１に相当するものであり、各系統の電流値及び消費電力を記憶するのみならず、電力供給に関する各種制御や表示部４６に表示するための表示制御等を行うためのプログラム、停電時に電力供給を優先する系統の判定に係るプログラム、並びにこれらのプログラムを実行するための各種情報等が記憶されている。
【００４４】
本実施の形態では、メモリ５０に記憶されたプログラムをＲＡＭ４０等に展開してＣＰＵ３６が実行することにより、電力供給に関する各種制御や表示制御等の制御を行うようになっている。
【００４５】
さらに、入出力ポート４２には、電源切替装置１１０、遮断装置１３１〜１３３及び電流センサ１４１〜１４３が接続されている。
【００４６】
以下、本実施の形態に係る給電システムの動作について説明する。本実施の形態に係る給電システム１００は、各系統の消費電力に基づいて各系統に接続されている機器の属性を判定する。
【００４７】
具体的には、各系統の消費電力に基づいて、各系統に冷蔵庫が接続されているか否か、各系統に２４時間動作する機器が接続されているか否かを判定する。
【００４８】
また、本実施の形態では、各系統の電流値並びに電源切替装置１１０及び遮断装置１３１〜１３３の操作の履歴等から停電の直前に使用されていた系統及び停電時に使用されていた系統を判定する。
【００４９】
まず、冷蔵後が接続されている系統か否かを判定する制御について説明する。図３は、本実施の形態に係る給電システムにおける冷蔵庫が接続されている系統か否かを判定するための処理のフローチャートである。なお、図３に示した各手順は各系統において個別に行われるものとする。
【００５０】
ステップ３００では、判定に係る系統の電流値を電流センサによって所定時間毎に計測する。
【００５１】
なお、所定時間は種々の長さが考えられ、本実施の形態では１０分程度とするが、この所定時間は接続されている冷蔵庫等の機器の特性等を考慮して変更可能であり、数分程度でもよい。
【００５２】
ステップ３０２では、計測した電流値から当該系統の消費電力を算出する。建物等の施設内に供給される電力の電圧は概ね１００Ｖなので、各系統の電流値が計測できれば、各系統の消費電力は、計測した電流値と電圧値１００Ｖとの積で算出されるので、別途電圧を測定する手段を本実施の形態では要しない。
【００５３】
しかしながら、電圧の変動等が生じ得る系統においては、電流センサ１４１〜１４３に加えて、別途、電圧を計測する手段を各系統に設けてもよい。
【００５４】
ステップ３０４では、計測した電流値及び算出した消費電力をメモリユニット１７１に記憶する。
【００５５】
ステップ３０６では、電流の計測を規定の回数だけ行ったか否かを判定し、規定の回数だけ計測した場合は手順をステップ３０８に移行させる。規定の回数だけ測定したか否かは、メモリユニット１７１に記憶した電流値が規定の回数に相当する数であるか否かで判定できる。
【００５６】
なお、規定の回数は、各系統に冷蔵庫が接続されているか否かを判定可能なだけの回数である。当該回数は種々の回数が考えられるが、消費電力から機器の特徴を把握するには１日の各時刻における消費電力の変化を把握する必要があることと、本実施の形態のように、１０分毎に計測するのが望ましいのであれば、２４時間分、合計１４４回計測することが考えられる。
【００５７】
ステップ３０６で、電流の計測を規定の回数行っていないと判定された場合は、手順をステップ３００以前に戻し、再度、電流の計測を実行する。
【００５８】
ステップ３０８では、メモリユニット１７１に記憶した規定回数分の消費電力から最大消費電力及び平均消費電力を算出する。
【００５９】
図４は、本実施の形態において冷蔵庫が接続されている系統か否かの判定に用いる各系統の消費電力の一例を示した図であり、規定回数分の消費電力の結果から平均消費電力、最大消費電力及び最小消費電力が各々算出されている。
【００６０】
ステップ３１０では、以下の式（１）に従って、当該系統に冷蔵庫が接続されているか否かを判定する。
最大消費電力−平均消費電力＞規定値        ・・・（１）
【００６１】
冷蔵庫は、誘導モータを作動させて冷媒を圧縮する際に、待機状態に対して５〜１０倍に相当する電力消費が突発的にあるので、平均消費電力に対して突出した最大消費電力が認められる系統には冷蔵庫が接続されていると判定できる。
【００６２】
判定値は各冷蔵庫の電力消費の特性によって種々の値が考えられるので、試験を通じて統計的に算出されることが望ましい。本実施の形態では、一例として、判定値を３００Ｗとした。
【００６３】
ステップ３１０において、式（１）に従って、最大消費電力と平均消費電力との差が規定値を上回った場合は、当該系統には冷蔵庫が接続されているとステップ３１２で判定し、図３のフローチャートによる処理を終了する。
【００６４】
以上説明したように、図３のフローチャートの手順によれば、当該系統の電力消費の傾向から、当該系統に冷蔵庫が接続されているか否かを判定できる。
【００６５】
続いて、図５を用いて、本実施の形態における、２４時間動作する機器が当該系統に接続されているか否かを判定する処理について説明する。図５は、本発明の実施の形態に係る給電システムにおける２４時間動作している機器が接続されている系統か否かを判定するための処理のフローチャートである。なお、図５に示した各手順は各系統において個別に行われるものとする。
【００６６】
ステップ５００では、２４時間計を０にリセットし、ステップ５０２において所定時間毎に電流の計測を開始する。所定時間は種々の長さが考えられ、本実施の形態では１０分とする。
【００６７】
ステップ５０４では、計測した電流値から当該系統の消費電力を算出する。
【００６８】
ステップ５０６では、計測した電流値及び算出した消費電力をメモリユニット１７１に記憶する。
【００６９】
ステップ５０８では、２４時間計を参照して電流の計測を開始してから２４時間が経過したか否かを判定し、計測開始から２４時間を経過していない場合は、手順をステップ５００以前に戻す。
【００７０】
ステップ５０８で、電流の計測を開始してから２４時間が経過したと判定された場合は、ステップ５１０で当該系統の最小消費電力を算出する。
【００７１】
図６は、本実施の形態に係る給電システムにおける２４時間動作している機器が接続されている系統か否かの判定に用いる各系統の消費電力の一例を示した図である。図６では、２４時間にわたって、１０分毎に各系統の電流値が計測され、計測された電流値から各系統の消費電力が算出され、さらに各系統の最小消費電力が算出されている。
【００７２】
ステップ５１２では、最小消費電力が０Ｗか否かが判定され、０Ｗの場合は、ステップ５１４において、その系統には２４時間動作する機器が接続されていないとして、図５の処理を終了する。なお、機器によっては、待機状態で微弱な電力を消費するものがあるので、ステップ５１２では最小消費電力が所定の閾値未満の場合は、最小消費電力が０Ｗであると判定してよい。当該閾値は種々の値が考えられるが、一例として３〜５Ｗ程度とすることが考えられる。
【００７３】
ステップ５１２で、最小消費電力が０Ｗであると判定された場合は、ステップ５１６において、その系統には２４時間動作する機器が接続されているとして、図５の処理を終了する。
【００７４】
以上説明したように、図５の処理によれば、各系統に２４時間動作する機器が接続されているか否かを判定することができる。
【００７５】
本実施の形態では、上述の各系統に冷蔵庫が接続されているか否か、及び各系統に２４時間動作する機器が接続されているか否かの判定に加えて、停電の直前に使用されていた系統及び前回の停電時に電力が供給される系統として指定された系統を特定する。
【００７６】
まず、停電の直前に使用されていた系統の特定について説明する。
【００７７】
停電の直前に使用すなわち電力が供給されていた系統には、停電になっても引き続き電力が供給された方が望ましい。本実施の形態では、メモリユニット１７１に各系統の時系列での消費電力が記憶されているので、当該記憶に基づいて、停電が発生した直前に使用していた系統を特定する。
【００７８】
具体的には、制御装置１６１は、電源切替装置１１０が商用電源に代えて補助電源の電力を各系統へ供給するように切り替わったこと及び切り替わった時刻を検知すると共に、メモリユニット１７１に記憶された各系統における時系列での電流値と、電源切替装置１１０が補助電源の電力を各系統へ供給するように切り替わった時刻とから、停電の直前に使用されていた系統を特定する。
【００７９】
次に、前回の停電時に電力が供給される系統として指定された系統について説明する。
【００８０】
前回の停電時に電力が供給される系統として指定された系統は、重要な機器が接続されている可能性が高いので、次の停電時にも電力が供給された方が望ましい。本実施の形態では、メモリユニット１７１に記憶されているユーザが遮断装置１４１〜１４３を操作した履歴を参照して、前回の停電時に電力が供給される系統として指定された系統を特定する。
【００８１】
本実施の形態では、前述のように、停電時に使用する系統を指定する操作が表示・入力装置１８１から可能なので、前回の停電時にこれらの操作の対象となった系統をメモリユニット１７１に記憶されている表示・入力装置１８１の操作の履歴から特定できる。
【００８２】
以上のように、本実施の形態では、（１）冷蔵庫が接続されている系統、（２）２４時間動作する機器が接続されている系統、（３）停電の直前に使用されていた系統、（４）前回停電時に電力が供給される系統として指定された系統の各々を判定した。
【００８３】
本実施の形態では、上記（１）〜（４）の事項に基づいて、停電の場合に電力供給を優先すべき系統を判断する。
【００８４】
具体的には、（１）冷蔵庫が接続されていると判定された系統に最大の加点を、（２）２４時間動作する機器が接続されていると判定された系統に２番目に大きな加点を、（３）停電の直前に使用されていた系統に３番目に大きな加点を、（４）前回停電時に電力が供給される系統として指定された系統に４番目に大きな加点を各々行い、加点の和が大きな系統を停電の場合に電力供給を優先すべき系統と判断する。
【００８５】
本実施の形態では、複数の系統すべてにおいて、上記（１）〜（４）の事項に係る判定が行われる。従って、上記（１）〜（４）の全事項についての加点の和が最大となった系統が停電時に最優先で電力が供給されるべき系統となる。
【００８６】
図７は、本実施の形態において停電時に電力を優先的に供給する系統を判断する際に用いられる判定表の一例を示す図である。
【００８７】
図７では、（１）冷蔵庫が接続されていると判定された系統に５点を、（２）２４時間動作する機器が接続されていると判定された系統に４点を、（３）停電の直前に使用されていた系統に２点を、（４）前回停電時に電力が供給される系統として指定された系統に１点を各々加点して、各系統について加点の和を求め、加点の和が大きい順に従って優先順位をつけている。
【００８８】
本実施の形態では、図７のようにして求めた各系統の優先順位を表示・入力装置１８１に表示し、ユーザが停電時に使用する系統を指定する際に参照できるようにする。また、表示された優先順位に従ってＨＥＭＳが自動制御で停電時に使用する系統を選択してもよいし、ＨＥＭＳによる自動制御を、ユーザがあとからカスタマイズできるようにしてもよい。
【００８９】
本実施の形態では、上述の加点の和が最大の系統を停電時に電力供給が優先される系統として表示するようにしてもよい。また、上述の加点の和が最大の系統を停電時に使用する系統としてＨＥＭＳが自動制御で選択してもよいし、ＨＥＭＳによる自動制御を、ユーザがあとからカスタマイズできるようにしてもよい。
【００９０】
また、本実施の形態では、停電が起きた時間帯に応じて、停電時に電力供給が最優先される系統、上記の優先順位の１位及び２位、又は上記の優先順位の１位から３位までを停電時に電力供給が優先される系統として表示するようにしてもよい。
【００９１】
例えば深夜であれば、電力消費量は少ないと思われるので、優先順位の１位から３位までを停電時に電力供給が優先される系統として表示し、昼間等の電力消費量の多い時間帯の停電では、電力供給が最優先される系統を表示することが考えられる。
【００９２】
また、制御装置１６１は、補助電源から供給可能な電力を予め把握しておき、いわゆる計画停電で、停電が開始される時刻及び該停電が終了する時刻が予め明らかである場合に、加点の和が大きく優先順位が高い系統の中から当該計画停電の間に電力の供給が可能な系統を判断し、当該判断結果を表示・入力装置１８１に表示するようにしてもよい。
【００９３】
蓄電池等の補助電源の蓄電量は、当該蓄電池の電圧値から推定可能であり、各系統の消費電力は、各電流センサによって計測された電流値から算出できる。
【００９４】
本実施の形態では、補助電源である蓄電池の電圧値を計測する手段を別途備えることで、当該蓄電池が供給可能な電力を把握できる。
【００９５】
また、補助電源が内燃機関による発電装置、燃料電池又は太陽光発電装置の場合は、これらの発電装置の定格出力等に基づいて、補助電源が供給可能な電力を把握することができる。
【００９６】
また、本実施の形態では、表示・入力装置１８１に、補助電力が供給可能な電力と各系統の消費電力とから補助電力によって電力供給が可能な時間を表示するようにしてもよい。
【００９７】
この場合、冷蔵庫又は２４時間動作する機器等の動作を前提とするのであれば、表示・入力装置１８１に、「冷蔵庫及び２４時間動作機器以外の全機器の電源をＯＦＦとすることとで、補助電力はあと５時間電力を供給できます」という旨のメッセージを表示させ、ユーザに節電を促すことも可能である。
【００９８】
さらに、本実施の形態では、上述のように決定した優先順位とは別に、ユーザが表示・入力装置１８１から停電時に優先すべき系統を設定可能であり、かかる設定がなされた場合は、ユーザが設定した優先順位に従って、前記複数の系統のうち前記停電の場合に電力供給を優先すべき系統を決定することも可能である。
【００９９】
以上説明したように、本実施の形態に係る給電システムによれば、各系統の電力の消費の傾向から優先的に電力を供給すべき系統を判断する給電システムを提供することができる。
【符号の説明】
【０１００】
３０  ＨＥＭＳ
３６  ＣＰＵ
３８  ＲＯＭ
４０  ＲＡＭ
４２  入出力ポート
４４  バス
４６  表示部
４８  操作部
５０  メモリ
１００  給電システム
１１０  電源切替装置
１２１  第１系統
１２２  第２系統
１２３  第３系統
１３１、１３２、１３３  遮断装置
１４１、１４２、１４３  電流センサ
１５１  リビング
１５１Ａ  ファクシミリ装置
１５２  ダイニング
１５３  キッチン
１５３Ａ  冷蔵庫
１６１  制御装置
１７１  メモリユニット
１８１  表示・入力装置
【図１】
0005940321.tif 000002
【図２】
0005940321.tif 000003
【図３】
0005940321.tif 000004
【図４】
0005940321.tif 000005
【図５】
0005940321.tif 000006
【図６】
0005940321.tif 000007
【図７】
0005940321.tif 000008